(57)【特許請求の範囲】
【請求項１】
一端がケーブルに接続され、他端が相手側コネクタに結合されるコネクタにおいて、伝送信号を伝送する信号コンタクトと、グランド信号を伝送するグランドコンタクトと、前記グランドコンタクトと接続するグランドプレートとを備え、前記グランドコンタクトは前記信号コンタクトの内で互いに隣接する一対をシールドし、前記グランドプレートは、前記一対の信号コンタクトの内一つに対応して当該信号コンタクトの延在方向に沿うとともに当該信号コンタクトに対向するように設けられた突出部と、前記ケーブルを保持するケーブル保持部とを有するとともに前記ケーブルのシールドと接続し、前記ケーブル保持部は断面略ループ状に形成されていることを特徴とするコネクタ。
【請求項２】
請求項１に記載のコネクタにおいて、前記グランドコンタクトと前記グランドプレートは、一体形成されていることを特徴とするコネクタ。
【発明の詳細な説明】
【０００１】
【発明の属する技術分野】
本発明は、複数の同軸ケーブルを接続するためのコネクタに関し、詳しくは、高速伝送線を保持する装置を備えたコネクタに関する。
【０００２】
【従来の技術】
従来、高速伝送信号を伝送する同軸ケーブルを備えた電気コネクタとしては、特開２０００−８５１１４号公報（以下、従来技術１と呼ぶ）に開示されたものが知られている。図２０は従来技術１による電気コネクタを示す斜視図、図２１は図２０の電気コネクタの正面図、図２２は図２０の電気コネクタのハウジングを示す分解組み立て斜視図、図２３は後部シールドが完全に組み立てられた状態を示す斜視図である。
【０００３】
図２０及び図２３を参照すれば、従来技術による電気コネクタ１００は、金属製の前部シールド１０１及び後部シールド１０２で囲まれた内部絶縁ハウジング１１７を備えている。この従来技術１による電気コネクタ１００は前部シールド１０１が後方端末面１０４を形成する入力／出力（Ｉ／Ｏ）電気コネクタである。前方嵌合面１０３は３行のデータ送信端子１０５の前方に突出する接点部分を取り巻く前部シールド１０１のシュラウド部分１０６によって形成される。データ送信端子１０５はコネクタハウジングの端子受入通路１０７を通して突出する。導電性接地ブレード１０８は、コネクタハウジングのブレード受入通路１０９を経て突出する。一対の高速信号端子１２０は導電性接地ブレード１０８の両側で、ハウジングの一対の端子受入通路１１１を経て突出する。データ送信端子１０５及び高速信号端子１１０の各テール部分１０７及び１１２は、コネクタハウジングの後部プラットホーム１０４において後部シールド１０２の後方に夫々突出している。前部シールド１０１は、ハウジング１１７を包囲するために、一対の後方に形成されたタブ１１３をその上下に有している。４つの後方に形成されたタブ１３２は、前部シールド１０１のベースプレート１３４から後部シールド１０２のベースプレート１３５を超えて曲げられ、前部及び後部シールド１０１，１０２をコネクタハウジングの周りに固定している。
【０００４】
図２２を参照すれば、電気コネクタ１００は、フロントハウジング部分１１５と、リアハウジング部分１１６とで形成された２部分絶縁ハウジング１１７を備えている。フロントハウジング部分１１５は、ハウジングの前方嵌合端１１８を形成し、そしてリアハウジング部分１１６は、ハウジングの後方端１１９を形成する。
【０００５】
フロントハウジング部分１１５は、データ送信端子１０５を受け入れるための端子受入通路１０７と、高速信号端子１２０を受け入れるためのブレード受入通路１０９とを備えている。データ送信端子１０５のテール１３３及び高速信号端子１２０のテール１１２は、フロントハウジング部分１１５の後方に突出している。位置決めアーム１３０を含む導電性接地ブレード１０８の後端も、フロントハウジング部分１１５の後方に突出している。フロントハウジング部分１１５は、端部くぼみ１２１及び上下のくぼみ１２２と、上方及び下方に突出するタブ１２３とを有している。
【０００６】
リアハウジング部分１１６は、両ハウジング部分が矢印Ａの方向に組み立てられたときに、フロントハウジング部分１１５の後部に突出するための主横断フランジ１２４を備えている。リアハウジング部分１１６は、２つのハウジング部分が組み立てられるときに、フロントハウジング部分１１５のくぼみ１２１及び１２２へ移動する側部翼１２５及び上下翼１２６を有している。又、リアハウジング部分１１５は、上方及び下方に突出するタブ１２７を有し、これらのタブは組み立てられたときに、フロントハウジング部分１１５のタブ１２３と並置される。
【０００７】
データ送信端子１０５、高速信号端子１２０及び導電性接地ブレード１０８がフロントハウジング部分１１５に対して並置された後に、コネクタの前部及び後部シールド１０１，１０２が組み立てられて、コネクタ組み立て体が完成する。
【０００８】
図２３に示すように、後部シールド１０２は、リアハウジング部分１１６の後方に延びるプラットホーム１０４を除いて２部分ハウジング１１７をほぼ包囲するシュラウド１２７′を有する。このシュラウド１２７′は前部シールド１０１の後方に形成されたタブ１１３を受け入れるための孔１２９を有する。最終的な組み立てにおいて、前部シールド１０１のタブ１１５は、後部シールド１０２のベースプレート１３５の後ろ側で曲げられ、２つのシールド１０１，１０２を一緒に保持するとともに、電気コネクタ１００を完全組み立て状態に保持する。
【０００９】
ケーブル端末機構１３０は、リアハウジング部分１１６の後部から突出する仕切り構造体１３１を供え、これは導電性接地ブレード１０８の位置決めアームと協働して、複数の同軸ケーブルを端末前に適切に配置処理する。
【００１０】
前述したコネクタは、高速信号端子をフレードを介して上下に一対づつ配置している構成である。
【００１１】
また、従来の高速信号伝送用コネクタは、前述した従来技術１のデータ送信端子としての信号用コンタクトのように、複数の信号コンタクトを縦横に複数並べて配置し、その一部をグランドコンタクトとして用い、残りのコンタクトを高速信号用コンタクトとして用いている。
【００１２】
【発明が解決しようとする課題】
この従来の高速信号伝送用コネクタにおいては、例えば、一直線上に配列されたコンタクト内では、３本毎にグランドに接続されるグランドコンタクトを配置している。このような場合、正（＋）極と、負（−）極とペアとなる高速信号用コンタクトと高速グランド用コンタクトの距離はピッチ分（２倍分）だけ異なっていたために、信号用コンタクトでグランドコンタクトから離れた極側のコンタクトは、インピーダンスが高くなり、また、グランドコンタクトに近いもう一方の極側コンタクトとの伝送路を比較した場合、インピーダンスに差が生じているためペア間の伝播遅延時間差が大きくなるという欠点を備えている。
【００１３】
また、高速伝送用コネクタにおいて確実にデータを送信させるためにインピーダンスの整合は不可欠である。高速伝送信号に正極（＋）及び負極（−）があるコネクタにおいて、＋極と−極が各々でインピーダンスが整合されていることは不可欠であるが、伝播遅延差などの高周波特性の観点から伝送路を同一にする必要もある。
【００１４】
したがって、前述したように、一直線上に配列されているコンタクトにおいて、＋極と−極のコンタクトとそのグランドとなるコンタクトとの距離は各々で異なる。
【００１５】
また、高速伝送用に使用される同軸ケーブルとコネクタとの結線は、テレビのアンテナ線を代表するように信号線は圧接タイプ、または圧着タイプそしてシールド線はカシメタイプが多い。半田によるシールド線の結線タイプが少ないのは半田付け時の熱及びシールド線に覆われない信号線部が長くなることによる伝送特性の劣化が問題だからである。
【００１６】
また、従来の高速信号伝送用コネクタにおいて、同軸ケーブルを用いることが多い。このとき、一直線上に配列された各コンタクトに同軸ケーブルの信号線とシールド線を半田結線する場合、従来において、シールド線をコンタクトと半田付できるように同軸ケーブル状態からばらし、信号線とシールドを撚り線状態にした。
【００１７】
しかし、同軸ケーブルの同軸状態をばらすことにより、信号線の伝送特性は劣化してしまう。伝送特性の劣化を少なくするために同軸状態を長く保つとシールド線と信号線の距離が短くなるため、シールド線の半印付け作業時の熱が信号線を傷め、伝送特性が劣化してしまう。
【００１８】
また、グランドコンタクトと接続されたグランドプレートとグランドプレートに配置された同軸ケーブルのシールド部との接続では、同軸ケーブルから外部被覆を取り除いたシールド線剥き出しの状態で結線されるためシールド線内にある信号線は半田付け時の熱を直接受けるため、伝送特性の劣化は激しくなる。
【００１９】
尚、グランドプレートにループ状のケーブル保持部を設けて、ループ状のケーブル保持部とシールド線とをかしめる構成も考えられるが、この接続する場合、導通を着実にとるために、強くかしめると信号線がつぶれ伝送特性が劣化し、かしめが弱いと導通が不安定になるためシールド効果が確実に発揮できなく、外部からのノイズ、反射などの影響を受けてしまうため伝送特性が劣化するという欠点を備えていた。
【００２０】
そこで、本発明の一技術的課題は各コンタクトのインピーダンスの整合、挿入損失の低減、反射損失の低減、及び高速伝送信号ペア間の伝播遅延時間差の低減をすることができ、したがって高周波特性の向上を図ることができる高速信号伝送用のコネクタを提供することにある。
【００２１】
また、本発明のもう一つの技術的課題は、伝播遅延の減少等の高周波特性の劣化を防ぐことが出来るとともに、ケーブルが固定されることによる半田付作業の向上を行うことができる高速信号伝送用コネクタを提供することにある。
【００２２】
【課題を解決するための手段】
本発明によれば、一端がケーブルに接続され、他端が相手側コネクタに結合されるコネクタにおいて、伝送信号を伝送する信号コンタクトと、グランド信号を伝送するグランドコンタクトと、前記グランドコンタクトと接続するグランドプレートとを備え、前記グランドコンタクトは前記信号コンタクトの内で互いに隣接する一対をシールドし、前記グランドプレートは、前記一対の信号コンタクトの内一つに対応して当該信号コンタクトの延在方向に沿うとともに当該信号コンタクトに対向するように設けられた突出部と、前記ケーブルを保持するケーブル保持部とを有するとともに前記ケーブルのシールドと接続し、前記ケーブル保持部は断面略ループ状に形成されていることを特徴とするコネクタが得られる。
【００２４】
さらに、本発明によれば、前記いずれかのコネクタにおいて、前記グランドコンタクトと前記グランドプレートは、一体形成されていることを特徴とするコネクタが得られる。
【００２５】
【発明の実施の形態】
以下、本発明の実施の形態について図面を参照して説明する。
【００２６】
図１は本発明の実施の形態によるコネクタを示す斜視図である。図２は図１のコネクタの正面図である。図３は図１のコネクタの平面図である。図４は図１のコネクタの側面図である。図５は図２のＶ−Ｖ線断面図である。図６は図２のＶＩ−ＶＩ線断面図である。図７は図１のコネクタのシェルをはずしたインシュレータの背面側から眺めた斜視図である。図８は図２のＶＩＩＩ−ＶＩＩＩ線断面図である。図９は図２のＸＩ−ＸＩ線断面図である。図１０は図６のコネクタのＸ−Ｘ線断面図である。図１１は図１のコネクタの結線状態を示す概略断面図である。
【００２７】
図１及び図２を参照すると、本発明の実施の形態によるコネクタ１０は、例えば、パソコンと、モニターとを接続するハーネス品に用いられ、高周波等からなる高速信号伝送を行うのに用いられる。
【００２８】
コネクタ１０は、合成樹脂等の絶縁材料からなるハウジング３０と、このハウジング３０に保持された導電性のコンタクト２１，２２及びキー２３と、ハウジング３０を覆う鍔状の平板部を備えた筒状のシェル１１と、グランド（シールド）プレート１とを備えている。
【００２９】
また、キー２３はコネクタ嵌合の際の位置決めに用いられるが、コンタクト２１，２２、シェル等の容易に変形がしないものであるならば、無くても良い。
【００３０】
図２乃至図４に最も良く示されるように、シェル１１は、図示しない電子装置の基板等に設けられた相手側コネクタと嵌合する嵌合筒部１３と、四角筒状の外筒部１４と、嵌合筒部１３及び外筒部１４間に鍔状に突出した鍔部１２とを備えている。鍔部１２の両側には、円形の孔部１２ａを備えている。ここで、説明の便宜上、コネクタの相手側コネクタへの嵌合側を前方、嵌合方向における嵌合側と反対側を後方と呼ぶ。
【００３１】
図５、図６、図８及び図１０に示すように、グランドプレート１は、幅方向に平行に２本の切り込みを入れた後、半リング状に成るように上部に向かってループを描いて膨らませて形成したケーブル保持部２と、上部に向かって膨らんだ突出部５と、を備えている。また、先端には、前方に細長く突出した突出部３，３と、逆台形状に窪んだ窪み部４とを備えている。この突出部３，３は、ハウジング３０のガイドハウジング３１の挿入孔３４に夫々圧入されており、この孔の直上には、信号コンタクト２１が配置されている。また、グランドプレート１の両側は、ハウジング３０のグランドプレート保持部３２，３３に夫々保持されている。
【００３２】
図７に最も良く示されるように、ハウジング３０は、コンタクト２１，２２及びキー等が圧入保持される板状のガイドハウジング３１と、このガイドハウジング３１の裏面の両側に、夫々このガイドハウジング３１と一体に設けられたグランドプレート保持部３２とを備えている。
【００３３】
外筒部１４の端部の上下及び両側には、内側に湾曲して後方に向かって若干開くように設けられた縁片１４ａ，１４ａ，１４ｂ，１４ｂが設けられている。
【００３４】
図８に最も良く示されるように、コンタクト２２は、高速伝送グランド用のコンタクト（以下、グランドコンタクトと呼ぶ）は、コンタクト保持部３１に設けられた圧入孔３４に圧入され、端末部２２ａ，２２ｂ，２２ｃは下方に傾斜し、更に、水平に延びるように形成されている。同一列の夫々一番上方に設けられたグランドコンタクト２２の端末部２２ａが最も短く、下方のグランドコンタクトになるにしたがって、端末部２２ｂ，２２ｃと夫々次第に長くなるように形成されている。
【００３５】
図９に最も良く示されるように、コンタクト２１は高速信号伝送用のコンタクト（以下、単に信号コンタクトと呼ぶ）であり、夫々の信号コンタクト２１の端末部２１ａ，２１ｂ，２１ｃは直線状に延びてグランドプレート１とは接触せず、下方に移動するにつれて夫々の端末部２１ａ，２１ｂ，２１ｃは次第に長くなるように形成されている。
【００３６】
信号コンタクト２１の端末部２１ａ，２１ｂ，２１ｃは、グランドコンタクト２２と接続されたグランドプレート１によりインピーダンスの整合と安定ができ、挿入損失の低減など高周波特性を高めている。
【００３７】
また、図５に最も良く示されるように、ハウジング３０内のグランドプレート１の一部を突出部３として高速伝送信号ペア間のインピーダンスを同じにするためにグランドコンタクト２２から遠い極側のコンタクト２１ａ，２１ｂ，２１ｃ付近に配置している。
【００３８】
ハウジング３０の外においてもグランドプレート１がインピーダンスの低減を図る他、２極の信号コンタクト２１，２１のインピーダンスが同じになるように配置されている。
【００３９】
グランドコンタクト２２に近い極側のコンタクト２１ａ′，２１ｂ′，２１ｃ′と遠い側のコンタクト２１ａ，２１ｂ，２１ｃ（図１１においては、左から１列目及び２列目を夫々示す）とのインピーダンスを合わせることにより、伝送路を近似にし高速伝送信号ペア間の伝播遅延時間に差が生じないように構成されている。
【００４０】
また、一直線上に信号コンタクト２１のペアが複数配列されている場合、ペアとぺア間（チャンネル間）の伝播遅延時間差の低減も可能である。
【００４１】
図１１に示すように、グランドコンタクト２２の屈曲した端末部２２ａ，２２ｂ，２２ｃは窪み部４に挿入されて、半田付け固定されるとともに、信号コンタクトの端末部２１ａ，２１ｂ，２１ｃは信号線の導体部に半田付け固定される。
【００４２】
このように、本発明の実施の形態によるコネクタでは、正極（＋）及び負極（−）極の信号コンタクト２１がグランドコンタクト２２に接続されたグランドプレート１をハウジング３０内に配置することにより各コンタクトのインビーダンスの整合を図り、かつ２極の伝送路が近似している高速伝送に適したコネクタを提供することができる。
【００４３】
また、本発明の実施の形態によるコネクタにおいては、グランドコンタクト２２と接続されたプレート（グランドプレート１）をハウジング３０内に配置することにより、グランドコンタクト２２と距離が異なる２極の各信号コンタクト２１のインピーダンスを整合させ、ペアとなる高速伝送２極の信号コンタクト２１の伝送状態、伝送路が近似しており伝播遅延時間に差が生じることはない。
【００４４】
また、本発明の実施の形態では、高速伝送グランド用コンタクト２２にグランドプレート１を接続し、ハウジング３０内にグランドプレート１の一部をグランドコンタクト２２から遠い極側の信号コンタクト２１のインピーダンスが近い極側のコンタクトと同じになるように、即ち突出部３を図１１の遠い側のコンタクト２１ａ′，２１ｂ′，２１ｃ′に配置し、また、ハウジング外の結線部においても同じインピーダンスになるようにグランドプレート１が配置されている。
【００４５】
これにより、高速伝送信号用コンタクト２１のペア２１，２１間の伝送路が近似にできるため、伝播遅延時間の差が無くなり、インピーダンスが各々整合されているため、挿入損失の低減ができ、高周波特性の優れたコネクタとなる。
【００４６】
次に、本発明の実施の形態によるコネクタへの同軸ケーブルの結線について説明する。
【００４７】
図１２は本発明の実施の形態によるコネクタに同軸ケーブルを結線した状態を示す斜視図である。図１３は図１２のコネクタの正面図である。図１４は図１２のコネクタの平面図である。図１５は図１２のコネクタの側面図である。図１６は図１３のＸＶＩ−ＸＶＩ線断面図である。図１７は図１２のコネクタのシェルをはずしたハウジングの背面側から眺めた斜視図である。図１８は図１３のＸＶＩＩＩ−ＸＶＩＩＩ線断面図である。図１９は図１６のコネクタのＸＩＸ−ＸＩＸ線断面図である。
【００４８】
図１２乃至図１９を参照すると、本発明の実施の形態によるコネクタ１０に同軸ケーブル５０を接合する場合には、２本の同軸ケーブル５０がループ状のケーブル保持部２に保持される。
【００４９】
同軸ケーブル５０の先端部はその外部被覆５３が引き剥がされて、網線状の外部導体からなるシールド部５１が剥き出しのままになっている。また、絶縁被覆部５４に覆われた中心導体５２が露出している。
【００５０】
同軸ケーブル５０は、２本の先端がループ状のケーブル保持部２に外部被覆５３の上から挟みこまれ、絶縁体５４によって覆われた中心導体５１は、シールドプレート１の突出部５によってその高さ位置が調節されるとともに、ケーブル保持部２と協働してその位置ずれが防止される。
【００５１】
図１８に最も良く示されるように、同軸ケーブル５０の先端において、内部導体５２は、信号コンタクト２１の各端末部２１ａ，２１ｂ，２１ｃに半田付けされる。
【００５２】
また、図１９に最も良く示されるように、同軸ケーブル５０の外部導体からなるシールド部５１は、２本のものが一つにまとめられて、グランドコンタクト２２の各端末部２２ａ，２２ｂ，２２ｃに夫々半田付け接合される。本発明の実施の形態によるコネクタにおいて、高速伝送シールド用コンククトに接続されたグランドプレート１から同軸ケーブル５０が保持できるループ状のケーブル保持部２を設け、同軸ケーブル５０のシールド部５１を纏めてシールド線としてグランドコンタクト２２とグランドプレート１との結合部で半田結線をする。
【００５３】
ここで、同軸ケーブル５０は、そのハウジング内に収容される先端部分が、常にループ２によって保持されるために、半田等の接合の際の先端部からの熱の伝導をこの部分で抑えることができるので、ケーブル内部への熱の伝導がなく、熱によるケーブルの劣化が生じないので、高周波の伝送特性の劣化を防ぐことができる。
【００５４】
このように、本発明の実施の形態においては、同軸ケーブルが固定されていることにより、信号線とシールド線との距離が一定に保たれ、半田付け時の熱による信号線の伝送特性が劣化しない。
【００５５】
また、本発明の実施の形態においては、高速伝送グランド用コンタクト２２と接続されたプレート（グランドプレート１）により、同軸信号線５０のシールドに覆われていない部分のインピーダンスを整合させ、挿入損失、反射損失などの高周波特性の劣化を防ぐことができる。
【００５６】
また、このグランドコンタククト２２と接続されたグランドプレート１（１ａ，１ｂ，１ｃ）に設置されたケーブル保持部（ループ）２により同軸ケーブル５０の外部被覆５３が固定され、同軸信号線（中心導体）５２およびシールド線（外部導体）５４半田付け作業の向上ができる。
【００５７】
また、インピーダンスが整合されていた同軸ケーブル５０の絶縁体５４に覆われていない中心導体５１の部分は、グランドプレート１によって．インピーダンスを整合させ、伝送特性の劣化を防ぐことができる。
【００５８】
尚、グランドプレー卜１のケーブル保持部（ループ）２に保持される高速伝送（同軸）ケーブルはツインナックスケーブルでも良い。ツインナックスケーブルのシールド部に接続されたドレイン線は高速伝送グランド用コンタクトと結線される。
【００５９】
さらに、グランドプレート１のループ状のケーブル保持部２に保持される同軸ケーブル５０は、１本でも２本でも本数には制限はない。
【００６０】
さらに、本発明の実施の形態においては、コンタクトと信号線及びシールド線との結合方法は、半田付けを用いたが、圧接によって接合する圧接タイプでも良い。この場合、半田付けをしないため熱による伝送特性の劣化は考慮しなくてもよく、またグランドプレートによる信号線へのシールド効果は保てるため、伝送特性の劣化は防げる。
【００６１】
また、本発明の実施の形態においては、高速伝送グランド用コンタクト２２とグランドプレート１は、夫々個々に形成したが、高速伝送グランド用コンタクト２２とグランドプレート１は一体形成しても良い。
【００６２】
【発明の効果】
以上説明したように、本発明によれば、インピーダンスの整合、挿入損失の低減、反射損失の低減、伝播遅延の減少、及び高速伝送信号ペア間の伝播遅延時間差の低減等の高周波特性の向上を図ることができる高速伝送線接続用のコネクタを提供することができる。
【図面の簡単な説明】
【図１】本発明の実施の形態によるコネクタを示す斜視図である。
【図２】図１のコネクタの正面図である。
【図３】図１のコネクタの平面図である。
【図４】図１のコネクタの側面図である。
【図５】図２のＶ−Ｖ線断面図である。
【図６】図２のＶＩ−ＶＩ線断面図である。
【図７】図１のコネクタのシェルをはずしたインシュレータの背面側から眺めた斜視図である。
【図８】図２のＶＩＩＩ−ＶＩＩＩ線断面図である。
【図９】図２のＸＩ−ＸＩ線断面図である。
【図１０】図６のコネクタのＸ−Ｘ線断面図である。
【図１１】図１のコネクタの結線状態を示す概略断面図である。
【図１２】本発明の実施の形態によるコネクタに同軸ケーブルを結線した状態を示す斜視図である。
【図１３】図１２のコネクタの正面図である。
【図１４】図１２のコネクタの平面図である。
【図１５】図１２のコネクタの側面図である。
【図１６】図１３のＸＶＩ−ＸＶＩ線断面図である。
【図１７】図１２のコネクタのシェルをはずしたハウジングの背面側から眺めた斜視図である。
【図１８】図１３のＸＶＩＩＩ−ＸＶＩＩＩ線断面図である。
【図１９】図１６のコネクタのＸＩＸ−ＸＩＸ線断面図である。
【図２０】従来技術１による電気コネクタを示す斜視図である。
【図２１】図２０の電気コネクタの正面図である。
【図２２】図２０の電気コネクタのハウジングを示す分解組み立て斜視図である。
【図２３】後部シールドが完全に組み立てられた状態を示す斜視図である。
【符号の説明】
１    グランドプレート
２    ケーブル保持部
３    突出部
４    窪み部
５    突出部
１０    コネクタ
１１    シェル
１２    鍔部
１２ａ    孔部
１３    嵌合筒部
１４    外筒部
１４ａ，１４ｂ    縁片
２１，２２    コンタクト
２１ａ，２１ｂ，２１ｃ，２２ａ，２２ｂ，２２ｃ    端末部
２３    キー
３０    ハウジング
３１    ガイドハウジング
３２    グランドプレート保持部
３４    挿入孔
５０    同軸ケーブル
５１    シールド部
５２    中心導体
５３    外部被覆
５４    絶縁体
１００    電気コネク
１０１    前部シールド
１０２    後部シールド
１０３    前方嵌合面
１０４    後方端末面（プラットホーム）
１０５    データ送信端子
１０６    シュラウド部分
１０７    端子受入通路
１０８    導電性接地ブレード
１０９    ブレード受入通路
１１１    端子受入通路
１１２    テール部分
１１３    タブ
１１５    フロントハウジング部分
１１６    リアハウジング部分
１１８    前方嵌合端
１１７    内部絶縁ハウジング（２部分絶縁ハウジング）
１１９    後方端
１２０    高速信号端子
１２１    くぼみ
１２２    くぼみ
１２３    タブ
１２５    側部翼
１２６    上下翼
１２７    タブ
１２７′    シュラウド
１３１    仕切り構造体
１３４    ベースプレート
１３５    ベースプレート
【図１】
0003564556.tif 000002
【図２】
0003564556.tif 000003
【図３】
0003564556.tif 000004
【図４】
0003564556.tif 000005
【図５】
0003564556.tif 000006
【図６】
0003564556.tif 000007
【図７】
0003564556.tif 000008
【図８】
0003564556.tif 000009
【図９】
0003564556.tif 000010
【図１０】
0003564556.tif 000011
【図１１】
0003564556.tif 000012
【図１２】
0003564556.tif 000013
【図１３】
0003564556.tif 000014
【図１４】
0003564556.tif 000015
【図１５】
0003564556.tif 000016
【図１６】
0003564556.tif 000017
【図１７】
0003564556.tif 000018
【図１８】
0003564556.tif 000019
【図１９】
0003564556.tif 000020
【図２０】
0003564556.tif 000021
【図２１】
0003564556.tif 000022
【図２２】
0003564556.tif 000023
【図２３】
0003564556.tif 000024